(57)【要約】【課題】  ディスポーザの破砕効果を向上させ、破砕室内に残留する厨芥を無くす。【構成】厨芥の投入口４に続く破砕室を３形成するケーシング２と、破砕室の底部に配置し厨芥を破砕する破砕ハンマー７をそなえた回転板５と、回転板を囲んで内側に縦方向の突条刃１２を形成したリング状の固定刃１とを設け、固定刃１を前記ケーシング２の下面で連続部分１１と突条刃１２の上面を覆って取り付けるディスポーザにおいて、固定刃１の少なくとも一部に、隣り合う複数個の突条刃１２の回転板上面より上部を切除した切り欠き部１４を設け、この切り欠き部１４の位置に合わせてケーシング２の内面に切り欠き部１４に続く凹み部２１を形成している。【選択図】        図１
2008183515.tif 000002
【特許請求の範囲】
【請求項１】
厨芥の投入口に続く破砕室を形成するケーシングと、破砕室の底部に配置し厨芥を破砕するハンマーをそなえた回転板と、回転板を囲んで内側に縦方向の突条刃を形成したリング状の固定刃とを設け、前記固定刃の上面をケーシングの下面で覆って取り付けるディスポーザにおいて、固定刃の少なくとも一部に、隣り合う複数個の突条刃の上部を切除した切り欠き部をそなえ、ケーシングの内面に前記切り欠き部に続く凹み部を設けたことを特徴とするディスポーザ。
【請求項２】
前記固定刃の切り欠き部が、突条刃の回転板に対向する部分より上部を切除している請求項１に記載したディスポーザ。
【発明の詳細な説明】
【技術分野】
【０００１】
本発明は、台所などで発生する厨芥を粉砕処理するディスポーザに関する。
【背景技術】
【０００２】
シンクの排水口に連結されるディスポーザは、投入される厨芥を破砕室の底部に設けられた回転板上に受け、この回転板を電動機で回転させて上面に取り付けたハンマーで破砕するとともに、回転板を囲んで破砕室の底部内壁に設けた固定刃と回転板外周との間で細かく剪断処理して粉砕し、水とともに回転板下方の排出室に落下させ、排出室に連結した排出管から下水管に流出させるようにしている。
【０００３】
このようなディスポーザの固定刃は、鋼板を筒状にしてスリットを設けたものもあるが（特許文献１、２参照）、一般には、内周に垂直または傾斜させた多数の縦方向の溝と突条刃を形成したリング状の固定刃が用いられ、厨芥を受ける回転板を囲んでケーシング内側に固定されており（例えば特許文献３、４など参照）、縦方向の長刃と短刃を交互に形成したものもある（特許文献５参照）。
また、固定刃の取り付け方法としては、リング状の固定刃を下部ケーシングの上端に嵌め込んで位置決めし、破砕室を形成する上部ケーシングで固定刃外周の連続部分を押さえるようにしているが（特許文献４参照）、固定刃の上面全体を覆うようにしたものも示されている。（例えば特許文献６、７参照）
【０００４】
【特許文献１】特開２００１−１７９１１６号公報
【特許文献２】特開２００５−２８２５８号公報
【特許文献３】特開平５−２５４号公報（図１参照）
【特許文献４】特開２００６−３３４５６４号公報（図２参照）
【特許文献５】特開平６−３４３８９４公報号
【特許文献６】特開平６−６３４３８号公報（図１参照）
【特許文献７】特開平１１−１００１９号公報（図１参照）
【発明の開示】
【発明が解決しようとする課題】
【０００５】
破砕室に投入された厨芥は、回転板の回転で破砕された後、固定刃によって細かく粉砕されるが、粉砕された厨芥が破砕室内に残り、図５に示すようにケーシング２の下面で固定刃１の連続部分１１を押さえている取り付け方法の場合は、突条刃１２上面の空間aに粉砕された厨芥が付着して泥状になって滞留し、不衛生になるだけでなく悪臭の原因にもなっている。また、図６のようにケーシング２の下面を広くして、固定刃１の連続部分１１と突条刃１２を含む上面全体を押さえるようにした取り付け方法では、突条刃１２を形成する縦溝の上部まで塞がれるため固定刃１の高さより大きい厨芥Ａは，固定刃の溝に入り込めないでケーシングの内側ｂに沿って移動し、粉砕時間が長くなり、効率を低下させるという問題が生じている。
【課題を解決するための手段】
【０００６】
このため、固定刃の少なくとも一部に、隣り合う複数個の突条刃の上部を切除した切り欠き部をそなえ、固定刃の上面を押さえるケーシングの内面に、前記切り欠き部に続く凹み部（ぬすみ）を設けて、前記切り欠き部の空間を固定刃の上部に延長させている。
なお、固定刃の切り欠き部は、突条刃の回転板に対向する部分より上部を切除して回転板との対向部は残しており、リング状の対称位置に数個所（２〜４個所が良い）設け、また、ケーシングの凹み部は、両側を傾斜させ周方向の段差を無くすようにしておくことが望ましい。
【発明の効果】
【０００７】
このように、破砕室を形成するケーシングで固定刃の上面全体を覆って固定刃を取り付けるディスポーザにおいて、固定刃の少なくとも一部に、複数個の突条刃上部を切除した切り欠き部を設け、ケーシングの内面に、前記切り欠き部に続く凹み部を設けて、固定刃に設けた切り欠き部の上部をケーシングで塞がないようにしているので、切り欠き部以外の突条刃の上面に厨芥が付着する空間を無くし、ケーシングの凹み部により切り欠き部の上部は空間が広くなって厨芥の排出を円滑に行なわせるだけでなく、大きな厨芥であっても固定刃への噛み込みを容易にし、処理時間を短縮できる効果が得られる。なお、切り欠き部の突条刃上面は粉砕された厨芥とともに水が流れるため厨芥が付着することがなく、破砕室内に粉砕された厨芥が残留して不衛生になることを防止できるなどの利点がある。
【発明を実施するための最良の形態】
【０００８】
厨芥の投入口に続く破砕室を形成するケーシングと、破砕室の底部に配置し厨芥を破砕するハンマーをそなえた回転板と、回転板を囲んで内側に縦方向の突条刃を形成したリング状の固定刃とを設け、前記ケーシングの下面で固定刃の突条刃上面を覆うようにしたディスポーザにおいて、固定刃の少なくとも一部に、隣り合う複数個の突条刃の回転板に対向する部分より上部を切除した切り欠き部をそなえ、ケーシング内面の前記切り欠き部上方に、切り欠き部に続く凹み部を設けて切り欠き部による空間をケーシング内側に延長するようにしている。
【実施例】
【０００９】
これを図に示す実施例について説明する。
図１は本発明を実施したディスポーザの断面図で、中心線の左右は異なる角度位置で表している。図２は一部の拡大図、図３はケーシングの下面図、図４は固定刃の一部を示している。
１は固定刃で、図４に示すようにリングの外周になる連続部分１１と、その内側に多数の縦溝１３設けて突条刃１２を形成している。１４は隣り合う複数個（図では８個）の突条刃１２の上部を切除した切り欠き部で、対称の位置に数個所設けている。２は破砕室３を形成するケーシング、２１はケーシング２の内側に設けた凹み部で、この部分では固定刃１の連続部分１１だけが押さえられ、切り欠き部１４の上に続く空間を作っている。４は厨芥の投入口、５は破砕室３の底部に設けた回転板で、モータ６に連結されている。７は回転板５の上面に取り付けられた破砕ハンマー、８は下部ケーシング、９は回転板下方の排出室、１０は投入口４に装着した蓋である。
【００１０】
投入口４から回転板５上に水とともに投入された厨芥は、モータ６の回転で遠心力によりケーシング２の内壁に打ち付けられるとともに、破砕ハンマー７との衝撃で破砕され、外周の固定刃１１に送られる。小さい粒度に破砕された厨芥はケーシング２の底面で塞がれている縦溝１３内に押し込まれて突条刃１２と回転板５で細断されて排出室９に落下する。破砕された粒度が大きい厨芥Ａは、ケーシング２の内側ｂに沿って送られ切り欠き部１４まで送られると、切り欠き部１４とケーシング２の凹み部２１の空間に押し込まれて粉砕ハンマー７と突条刃１２で細断される。
【図面の簡単な説明】
【００１１】
【図１】本発明の実施例を示すディスポーザの断面図である。
【図２】図１の一部拡大図である。
【図３】本発明のケーシングの下面図である。
【図４】本発明の固定刃を示す一部斜視図である。
【図５】従来の例を示す図２相当図である。
【図６】従来の別の例を示す図２相当図である。
【符号の説明】
【００１２】
１  固定刃
１１  連続部分
１２  突条刃
１３  縦溝
１４  切り欠き部
２  ケーシング
２１  凹み部
３  破砕室
４  投入口
５  回転板
６  モータ
７  破砕ハンマー
８  下部ケーシング
９  排出室
１０  蓋
【図１】
2008183515.tif 000003
【図２】
2008183515.tif 000004
【図３】
2008183515.tif 000005
【図４】
2008183515.tif 000006
【図５】
2008183515.tif 000007
【図６】
2008183515.tif 000008